(57)【要約】【課題】下部照明の照明範囲を広くすることが可能な洗面キャビネット及び洗面化粧台を提供する。【解決手段】洗面台１０の上方に配されるキャビネット本体２３と、発光体３１及び前記発光体３１を収容したケース３２を有して前記キャビネット本体２３の下部に備えられている照明ユニット３０と、を具備し、前記照明ユニット３０が、前記キャビネット本体２３の下方を照らす第１状態から、前後方向に移動、又は軸線が左右方向に延びた回動軸６３を中心に回動して、前記第１状態とは異なる第２状態になるものである。【選択図】図１２
2019162212.tif 000002
【特許請求の範囲】
【請求項１】
洗面台の上方に配されるキャビネット本体と、
発光体及び前記発光体を収容したケースを有して前記キャビネット本体の下部に備えられている照明ユニットと、を具備し、
前記照明ユニットが、前記キャビネット本体の下方を照らす第１状態から、前後方向に移動、又は軸線が左右方向に延びた回動軸を中心に回動して、前記第１状態とは異なる第２状態になる洗面キャビネット。
【請求項２】
前記回動軸が、前記照明ユニットの前端部に設けられている請求項１に記載の洗面キャビネット。
【請求項３】
前記照明ユニットが、前記キャビネット本体の下面に取り付けられ、
前記前後方向の移動が、前記キャビネット本体の下面に略平行をなす移動とされている請求項１に記載の洗面キャビネット。
【請求項４】
前記照明ユニットが、前記前後方向の移動及び前記回動の両方を行うことができる請求項１ないし請求項３のいずれか一項に記載の洗面キャビネット。
【請求項５】
前記ケースの上下両面に、光を通過させる透光部が設けられている請求項１ないし請求項４のいずれか一項に記載の洗面キャビネット。
【請求項６】
洗面ボウルを有する洗面台と、
請求項１ないし請求項５のいずれか一項に記載の洗面キャビネットと、
を備えている洗面化粧台。
【発明の詳細な説明】
【技術分野】
【０００１】
本発明は、洗面キャビネット及び洗面化粧台に関する。
【背景技術】
【０００２】
従来、洗面台の上方に配された洗面キャビネットの下部に照明装置が備えられた洗面化粧台が知られている。例えば下記特許文献１には、洗面キャビネットの下部に蛍光灯を配置したものが記載されている。蛍光灯の下方には、半透明の照明カバーが備えられている。蛍光灯の光は、照明カバーを下方に透過し、洗面台の水洗器具等を照らすようになっている。
【先行技術文献】
【特許文献】
【０００３】
【特許文献１】特開２００７−２９６０４１号公報
【発明の概要】
【発明が解決しようとする課題】
【０００４】
しかしながら、上記のような構成では、洗面キャビネットの下部照明が洗面台の奥側のみを照らすようになっており、照明範囲が狭いという問題がある。下部照明の照明範囲が狭いと、例えば使用者の手元や顔等を照らすことが難しいなど、使い勝手がよくないため、照明範囲を広げたいという要望があった。
【０００５】
本発明は上記のような事情に基づいて完成されたものであって、下部照明の照明範囲を広くすることが可能な洗面キャビネット及び洗面化粧台を提供することを目的とする。
【課題を解決するための手段】
【０００６】
本発明の洗面キャビネットは、洗面台の上方に配されるキャビネット本体と、発光体及び前記発光体を収容したケースを有して前記キャビネット本体の下部に備えられている照明ユニットと、を具備し、前記照明ユニットが、前記キャビネット本体の下方を照らす第１状態から、前後方向に移動、又は軸線が左右方向に延びた回動軸を中心に回動して、前記第１状態とは異なる第２状態になるものである。
本発明の洗面化粧台は、洗面ボウルを有する洗面台と、前記洗面キャビネットと、を備えているものである。
【発明の効果】
【０００７】
本発明によれば、キャビネット本体の下部に備えられた照明ユニットの向き又は位置を変えることができるから、下部照明の照明範囲を広くすることができる。
【図面の簡単な説明】
【０００８】
【図１】実施例１における洗面化粧台を示す正面図
【図２】洗面化粧台を示す分解斜視図
【図３】洗面化粧台を示す側面図
【図４】照明ユニットを示す平面図
【図５】照明ユニットを示す断面図であって、図４のＢ−Ｂ位置における断面に相当する断面図
【図６】照明ユニットの第１状態を示す断面図であって、図３のＡ−Ａ位置における断面に相当する断面図
【図７】照明ユニットの第２状態を示す断面図であって、図３のＡ−Ａ位置における断面に相当する断面図
【図８】照明ユニットを示す断面図であって、図６のＣ−Ｃ位置における断面に相当する断面図
【図９】ガイド部を示す断面図であって、図６のＤ−Ｄ位置における断面に相当する断面図
【図１０】回動ストッパ部の一例を示す斜視図
【図１１】照明ユニットを前方に移動した状態の洗面化粧台を示す一部拡大側面図
【図１２】照明ユニットを下方に回動した状態の洗面化粧台を示す一部拡大側面図
【図１３】照明ユニットを上方に回動した状態の洗面化粧台を示す一部拡大側面図
【図１４】実施例２における洗面化粧台を示す側面図
【図１５】照明ユニットの取付構造を示す分解斜視図
【図１６】照明ユニットの第１状態を示す断面図であって、図１４のＥ−Ｅ位置における断面に相当する断面図
【図１７】照明ユニットが第２状態である洗面化粧台を示す一部拡大側面図
【図１８】照明ユニットが[図１７]とは異なる第２状態である洗面化粧台を示す一部拡大側面図
【発明を実施するための形態】
【０００９】
本発明の好ましい形態を以下に示す。
本発明の洗面キャビネットは、前記回動軸が、前記照明ユニットの前端部に設けられているものとしてもよい。ここで、仮に照明ユニットの後端部に回動軸がある場合、第１状態において下方を照らす光を前方に向けるためには、照明ユニットを上向きに回動する必要があり、照明ユニットの上方に回動のための空間を要する。しかしながら、本発明の構成によれば、照明ユニットの前端部に回動軸があるから、そのような空間がなくても、光を前方に向けることができる。
【００１０】
また、本発明の洗面キャビネットは、前記照明ユニットが、前記キャビネット本体の下面に取り付けられ、前記前後方向の移動が、前記キャビネット本体の下面に略平行をなす移動とされているものとしてもよい。このような構成によれば、前後方向の移動が、例えばキャビネット本体の下面に対して斜め方向の移動である場合に比して、照明ユニットの移動に係る構造をシンプルにすることができる。
【００１１】
また、本発明の洗面キャビネットは、前記照明ユニットが、前記前後方向の移動及び前記回動の両方を行うことができるものとしてもよい。このような構成によれば、照明ユニットが、移動又は回動のいずれか一方のみを行うものに比して、下部照明の照明範囲をより広くすることができる。
【００１２】
また、本発明の洗面キャビネットは、前記ケースの上下両面に、光を通過させる透光部が設けられているものとしてもよい。このような構成によれば、ケースの下面のみに透光部が設けられている場合に比して、下部照明の照明範囲をより広くすることができる。
【００１３】
＜実施例１＞
以下、本発明を具体化した実施例１について、図１〜図１３を参照しつつ詳細に説明する。
本実施例における洗面化粧台Ｖは、洗面ボウル１１を有する洗面台１０と、洗面台１０の上方に配される洗面キャビネット２０とを備えている。以下、各構成部材において、洗面化粧台Ｖの使用状態において使用者に面する側を前方、その反対側を後方とし、また上側（図１の上側）を上方、下側（図１の下側）を下方として説明する。
【００１４】
洗面台１０は、洗面ボウル１１と、洗面ボウル１１の下方に設けられた支持台１２とを備えている。支持台１２は、本実施例では観音開き式のキャビネットとされている。支持台１２は、洗面ボウル１１を支持するものであればどのようなものであってもよく、例えば引き出し式のキャビネットやフレームのみで構成された台等であってもよい。
【００１５】
洗面ボウル１１は、支持台１２の上面に設けられ、下方に凹んだ形態をなしている。洗面ボウル１１は、平面視、横長の方形状をなし、洗面台１０の上面全体に広がる大きさを有している。洗面ボウル１１の下面は使用者が向かって右側（図１の右側）に向かって下がる傾斜をなし、右端部には排水孔１３が設けられている。
【００１６】
洗面台１０の上面の後端部には、図３に示すように、バックガード１４が立設されている。バックガード１４は、洗面ボウル１１の後縁に沿って、洗面台１０の全幅にわたっている。バックガード１４には水栓装置１５が備えられている。水栓装置１５は、洗面ボウル１１に向けて水を吐出する吐水口１６を備えている。吐水口１６は、バックガード１４の前面から洗面ボウル１１の上方に突出している。
【００１７】
洗面キャビネット２０は、図２に示すように、内部に収納部２１を有するとともに前面に鏡２２が備えられたミラーキャビネットである。洗面キャビネット２０は、キャビネット本体２３を有し、キャビネット本体２３の下部には照明ユニット３０が備えられている。
【００１８】
キャビネット本体２３の幅寸法は、洗面台１０の全幅にわたる寸法とされている。キャビネット本体２３の前後方向の寸法は、図３に示すように、バックガード１４の前後方向の寸法より大きく、キャビネット本体２３の前側の部分がバックガード１４より前方に突出している。
【００１９】
キャビネット本体２３は、図２に示すように、底面部２４と、底面部２４の左右両端から上方に立つ一対の側面部２５と、底面部２４の後端から上方に立つ背面部２６と、一対の側面部２５及び背面部２６の上端にわたされた天面部２７と、収納部２１を開閉する扉部２８とを備えている。キャビネット本体２３の内部には、左右一対の仕切り壁が設けられ、収納部２１は３つに区画されている。また、キャビネット本体２３の天面部２７の上側には、上部照明ユニット２９が備えられている。
【００２０】
扉部２８は、キャビネット本体２３の前面に３枚が横並びに設けられている（図１参照）。各扉部２８は、軸線が上下方向を向いた図示しない回動軸を中心に、収納部２１を開放する開放状態と閉塞する閉塞状態とに回動自在とされている。各扉部２８の前面に鏡２２が備えられている。
【００２１】
照明ユニット３０は、図４及び図５に示すように、発光体３１と、発光体３１を収納するケース３２とを備えている。照明ユニット３０は、全体として横長の扁平な箱状をなし、図３に示すように、キャビネット本体２３の下面に沿って配される。
【００２２】
照明ユニット３０の断面（長手方向に直交する方向の断面）は、図８に示すように、前後方向に長い長方形状をなしている。照明ユニット３０の前面には、照明のオンオフを切り替える操作を行うためのスイッチ３３が備えられている。
【００２３】
発光体３１は、図５に示すように、本実施例では複数のＬＥＤ３４を基板３５に並べてなるＬＥＤ基板とされ、全体として細長い形状をなしている。発光体３１は、洗面台１０の概ね全幅にわたる長さ寸法を有している。ＬＥＤ３４は、発光色が白色（昼光色または電球色等を含む）のものである。複数のＬＥＤ３４は、基板３５の一面に長手方向に沿って所定の間隔をあけて配置されている。
【００２４】
照明ユニット３０は、図８に示すように、発光体３１を支持するフレーム３６を備えている。フレーム３６は、細長い箱状をなしている。フレーム３６は、ケース３２の後端部に収納されるようになっており、フレーム３６の前面に発光体３１が固定されている。フレーム３６の外面（上下両面）は、ケース３２の内面（上下両面）に沿って配される。
【００２５】
ケース３２は、図８に示すように、キャビネット本体２３の下面（底面部２４の下面）に沿う上板部３７と、上板部３７と上下方向に対向する下板部３８と、上板部３７の前端から下板部３８の前端に垂下する前板部３９と、上板部３７の後端から下板部３８の後端に垂下する後板部４１と、上板部３７の左右両端から下板部３８の左右両端に垂下する一対の側板部４２（図６参照）とを備えている。
【００２６】
ケース３２は、図８に示すように、発光体３１からの光を通過させる透光部４３を有している。透光部４３は、ケース３２の上下両面に設けられている。透光部４３は、板状に成形されたケース３２の内部を視認できない程度の半透明の合成樹脂製であり、ケース３２の上板部３７及び下板部３８の一部を構成している。
【００２７】
透光部４３の左右方向の寸法（幅寸法）は、図４に示すように、ケース３２の幅全体にわたる寸法とされている。透光部４３は、前後方向においてはケース３２の後端部を除く概ね全体に配されている。ケース３２の上面の透光部４３と下面の透光部４３とは、図８に示すように、ケース３２の上下方向における中心を基準に対称をなしている。なお、ケース３２の内部には、発光体３１の光を上下の透光部４３に向けて反射する反射板４４が備えられている。
【００２８】
照明ユニット３０は、図３に示すように、キャビネット本体２３の上方及び下方を照らす第１状態から、図１１に示すように、前方に移動、又は図１２及び図１３に示すように、左右方向に延びた回動軸６３を中心に回動して、第１状態とは異なる第２状態になる。
【００２９】
洗面キャビネット２０の左右両端部には、図６及び図７に示すように、照明ユニット３０の前後方向の移動を案内するガイド部５０が設けられている。ガイド部５０は、前後方向に長く直線状に延びている。照明ユニット３０の前後方向の移動は、キャビネット本体２３の下面に略平行をなす移動とされている。
【００３０】
ガイド部５０は、洗面キャビネット２０に固定された固定ガイド部５１と、照明ユニット３０に固定されるとともに固定ガイド部５１に対して前後方向にスライド移動自在な移動ガイド部５２とを備えている。
【００３１】
固定ガイド部５１は、洗面キャビネット２０の左右両端部に設けられ、前端が開口した細長い空間を形成している（図９参照）。固定ガイド部５１は、バックガード１４の奥行き全長にわたっている。固定ガイド部５１には、前後方向に長いレール部５３が設けられるとともに、移動ガイド部５２が前方へ離脱することを防ぐストッパ部（図示せず）が設けられている。
【００３２】
固定ガイド部５１は、図２に示すように、バックガード１４の上面に立設された第１ガイド壁５４と、キャビネット本体２３の下部に配される配置部５５に立設された第２ガイド壁５６とを有している。第１ガイド壁５４と第２ガイド壁５６とは左右方向に対向して配され、第１ガイド壁５４と第２ガイド壁５６との間に移動ガイド部５２が挿入される。
【００３３】
第１ガイド壁５４は、バックガード１４の左右両端部に設けられ、バックガード１４の左右両側面に沿って略垂直に立ち上がっている。各第１ガイド壁５４の後端には、バックガード１４の後面に沿って略垂直に立ち上がったガイド後壁５７が連なっている。
【００３４】
第２ガイド壁５６は、配置部５５の左右両端部に設けられている。配置部５５は、キャビネット本体２３の下面とバックガード１４の上面との間に配される配置板部５８と、配置板部５８の後端縁に沿って上方に立つ後板部５９とを備えている。キャビネット本体２３の底面部２４は、配置部５５の後板部５９及び第２ガイド壁５６の上端に載置される。
【００３５】
移動ガイド部５２は、図２に示すように、前後方向に長い形状をなし、長さ寸法が伸縮自在なものである。移動ガイド部５２は、図７に示すように、照明ユニット３０に固定される第１移動部６１と、第１移動部６１に対してスライド移動自在に係合された第２移動部６２とを備えている。
【００３６】
第１移動部６１の前端部は、図６に示すように、照明ユニット３０の後端部に回動自在に固定されている。第１移動部６１の前端部には、照明ユニット３０の後端部に設けられた回動軸６３が嵌合される軸孔６４が設けられている。軸孔６４は、円形状をなして第１移動部６１を左右方向に貫通している。回動軸６３は、断面円形状をなし、軸線を左右方向に向けて側板部４２の内面に突設されている。回動軸６３が軸孔６４に嵌合することにより、照明ユニット３０は移動ガイド部５２に対して回動軸６３を中心に回動自在となる。
【００３７】
照明ユニット３０には、回動時に移動ガイド部５２の前端部が入り込むスリット６５が形成されている（図４参照）。スリット６５は、ケース３２の上板部３７及び下板部３８に設けられ、ケース３２の後端から前方に切り込まれた形態で形成されている。なお、第１移動部６１の前端縁は円弧形状をなしている。
【００３８】
第１移動部６１及び照明ユニット３０には、照明ユニット３０を回動できる範囲内の任意の位置で留めることができる回動ストッパ部が設けられている。回動ストッパ部は、どのような構成のものであってもよいが、例えば、図１０に示すように、回動軸６３及び軸孔６４の周縁部にセレーション６６を設けて嵌め合わせる構成としてもよい。
【００３９】
第１移動部６１には、図９に示すように、第２移動部６２のスライド移動を案内する移動案内部６７が設けられている。移動案内部６７は、第１移動部６１に突出して設けられている。移動案内部６７は、前後方向に長い形状をなしている。
【００４０】
第２移動部６２は、図９に示すように、第１移動部６１の移動案内部６７に対して前後方向にスライド移動自在に係合している。第２移動部６２は、第１移動部６１の移動案内部６７に対して上下方向に係止している。また、第２移動部６２は、固定ガイド部５１のレール部５３にスライド移動自在に係合している。第２移動部６２は、固定ガイド部５１のレール部５３に対して上下方向に係止している。
【００４１】
照明ユニット３０の第１状態においては、図６に示すように、第１移動部６１と第２移動部６２とが重なって移動ガイド部５２の概ね全長が固定ガイド部５１内に収まった状態になる。照明ユニット３０を前方に引き出す力が作用すると、図７に示すように、第１移動部６１は第２移動部６２に対して前方に移動し、また第２移動部６２はレール部５３に対して前方に移動する。照明ユニット３０の前後方向の移動においては、第２移動部６２と第１移動部６１とが摺動し、第２移動部６２とレール部５３とが摺動する。また、移動ガイド部５２は固定ガイド部５１の第１ガイド壁５４に摺動する。これにより、照明ユニット３０は、上下方向または左右方向に傾くことなく前後方向の移動がなされる。
【００４２】
次に、本実施例の洗面化粧台Ｖの使用例について説明する。
照明ユニット３０は、第１状態では、図３に示すように、キャビネット本体２３の下部に納まっている。この状態では、照明ユニット３０の上面の大部分（半分以上）はキャビネットの下面に近接または接触している。照明ユニット３０の前面は鏡２２より前方に位置し、上面の透光部４３の一部は露出している。これにより、上面の透光部４３により鏡２２の前方を照らすことができる。また、下面の透光部４３は、吐水口１６の上方に位置している。これにより、下面の透光部４３により吐水口１６や洗面ボウル１１の若干後ろ寄りの部分を照らすことができる。照明ユニット３０の第１状態は、例えば洗面ボウル１１や鏡２２を掃除したいときなどに好適である。
【００４３】
照明ユニット３０を第１状態から前方に移動すると、上面の透光部４３の露出面積が次第に増加する。照明ユニット３０は、図１１に示すように、概ね全体が鏡２２より前方に配される位置まで前進できる。照明ユニット３０を最大限前方に移動した状態では、上面の透光部４３の全体が露出している。これにより、鏡２２の前方を第１状態に比してより広く照らすことができる。また、下面の透光部４３は、吐水口１６より前方に位置している。これにより、下面の透光部４３により洗面ボウル１１の概ね全体を照らすことができる。照明ユニット３０を第１状態より前方に移動した第２状態では、例えば使用者の顔を下方から照らしたいときや、洗面台１０の全体を掃除したいときに好適である。また、軽い物などは照明ユニット３０の上面に置くことができる。なお、照明ユニット３０の前進は、第１状態から最大限前側に引き出すまでの途中の任意の位置で止めることができる。
【００４４】
照明ユニット３０を前側に移動した状態で下向き（照明ユニット３０が下方に変位する向き）に回動した状態では、図１２に示すように、上面の透光部４３が斜め上前方を向き、使用者の顔に向けて鏡２２の前方を広く照らすことができる。また、下面の透光部４３は、斜め下後方を向き、洗面ボウル１１の中央付近からバックガード１４にわたる広い範囲を照らすことができる。照明ユニット３０を下向きに回動した第２状態では、例えば使用者の顔に光をあてたいときや、洗面台１０の奥方を掃除したいときなどに好適である。
【００４５】
照明ユニット３０を前側に移動した状態で上向き（照明ユニット３０が上方に変位する向き）に回動した状態では、図１３に示すように、上面の透光部４３が斜め上後方を向き、鏡２２を広く照らすことができる。また、下面の透光部４３は、斜め下前方を向き、洗面台１０の手前側を照らすことができる。照明ユニット３０を上向きに回動した第２状態では、例えば鏡２２の拭き掃除を行いたいときや、コンタクトレンズの洗浄など細かい手作業を行いたいときなどに好適である。
【００４６】
また、図示はしないが、照明ユニット３０を回動して立てた姿勢にすることができる。例えば照明ユニット３０を９０度下方に回動した第２状態では、上面の透光部４３が前方を照らし、下面の透光部４３が後方を照らすことができる。
【００４７】
こうして、本実施例の洗面化粧台Ｖでは、照明ユニット３０を前後方向に移動し、また回動して、照らしたい対象物に近づけることができ、使用用途に応じて照明ユニット３０の状態を選択することができる。
【００４８】
次に、上記のように構成された実施例の作用および効果について説明する。
本実施例の洗面キャビネット２０は、洗面台１０の上方に配されるキャビネット本体２３と、発光体３１及び発光体３１を収容したケース３２を有してキャビネット本体２３の下部に備えられている照明ユニット３０と、を具備し、照明ユニット３０が、キャビネット本体２３の下方を照らす第１状態から、前後方向に移動、又は軸線が左右方向に延びた回動軸６３を中心に回動して、第１状態とは異なる第２状態になるものである。この構成によれば、キャビネット本体２３の下部に備えられた照明ユニット３０の向き又は位置を変えることができるから、下部照明の照明範囲を広くすることができる。
【００４９】
また、照明ユニット３０が、キャビネット本体２３の下面に取り付けられ、前後方向の移動が、キャビネット本体２３の下面に略平行をなす移動とされている。この構成によれば、前後方向の移動が、例えばキャビネット本体２３の下面に対して斜め方向の移動である場合に比して、照明ユニット３０の移動に係る構造をシンプルにすることができる。
【００５０】
また、照明ユニット３０が、前後方向の移動及び回動の両方を行うことができる。この構成によれば、照明ユニット３０が、移動又は回動のいずれか一方のみ行うものに比して、下部照明の照明範囲をより広くすることができる。
【００５１】
また、ケース３２の上下両面に、光を通過させる透光部４３が設けられている。この構成によれば、ケース３２の下面のみに透光部４３が設けられている場合に比して、下部照明の照明範囲をより広くすることができる。
【００５２】
＜実施例２＞
次に、本発明を具体化した実施例２に係る洗面化粧台８０を図１４〜図１８によって説明する。
本実施例の洗面化粧台８０は、回動軸８１が、照明ユニット３０の前端部に設けられている点で、実施例１とは相違する。なお、実施例１と同様の構成には同一符号を付して重複する説明を省略する。
【００５３】
本実施例の洗面キャビネット２０は、実施例１と同様、洗面台１０の上方に配されるキャビネット本体２３と、発光体３１及び発光体３１を収容したケース３２を有してキャビネット本体２３の下部に備えられている照明ユニット３０と、を具備している。
【００５４】
本実施例の洗面キャビネット２０は、照明ユニット３０が前後方向に移動しないようになっており、図１４に示すように、キャビネット本体２３の下方を照らす第１状態から、図１７又は図１８に示すように、軸線が左右方向に延びた回動軸８１を中心に回動して、第１状態とは異なる第２状態になる。
【００５５】
洗面キャビネット２０の左右両端部には、照明ユニット３０を回動自在な状態で固定する固定部８２が設けられている（図１５参照）。固定部８２は、図１４に示すように、バックガード１４の前面から前方に突出している。固定部８２は、前後方向に長い板状をなし、照明ユニット３０を左右両側から挟持する形態をなしている。固定部８２は、配置部５５の左右両端に設けられた側板部８３の前端から前方に突出している。
【００５６】
固定部８２の前端部には、図１５に示すように、回動軸８１が嵌合する軸孔８４が設けられている。軸孔８４は、円形状をなして固定部８２に凹設されている。なお、軸孔８４は、固定部８２を貫通したものでもよい。
【００５７】
照明ユニット３０の回動軸８１は、前端部における上側の角部に設けられている。回動軸８１は、断面円形状をなし、軸線を左右方向に向けて照明ユニット３０の側板部４２から外側に突出している。回動軸８１が軸孔８４に嵌合することにより、照明ユニット３０は固定部８２に対して回動軸８１を中心に回動自在に保持される。
【００５８】
照明ユニット３０は、第１状態においては、実施例１と同様、キャビネット本体２３の下部に納まっている（図１４参照）。
図１７に示すように、照明ユニット３０を第１状態から９０度の範囲内で下向きに回動した状態では、上面の透光部４３が斜め上後方を向き、キャビネット本体２３の下面及び鏡２２を照らすことができる。また、下面の透光部４３は、斜め下前方を向き、洗面台１０の中央付近から前方にわたり広く照らすことができる。
【００５９】
図１８に示すように、照明ユニット３０を第１状態から９０度〜１８０度の範囲内で下向きに回動した状態では、上面の透光部４３が斜め下後方を向き、バックガード１４の概ね全体及び洗面台１０の奥の部分を広く照らすことができる。また、下面の透光部４３は、斜め上前方を向き、鏡２２の前方を広く照らすことができる。
【００６０】
以上のように本実施例においては、照明ユニット３０が、キャビネット本体２３の下方を照らす第１状態から、軸線が左右方向に向いた回動軸８１を中心に回動して、第１状態とは異なる第２状態になるものであるから、実施例１と同様、下部照明の照明範囲を広くすることができる。
【００６１】
また、回動軸８１が、照明ユニット３０の前端部に設けられている。ここで、仮に照明ユニットの後端部に回動軸がある場合、第１状態において下方を照らす光を前方に向けるためには、照明ユニットを上向きに回動する必要があり、照明ユニットの上方に回動のための空間を有する。しかしながら、本発明の構成によれば、照明ユニット３０の前端部に回動軸８１があるから、そのような空間がなくても、光を前方に向けることができる。すなわち、照明ユニット３０は、キャビネット本体２３の下側に配された状態で回動し、光を前方に向けることができる。
【００６２】
＜他の実施例＞
本発明は上記記述及び図面によって説明した実施例に限定されるものではなく、例えば次のような実施例も本発明の技術的範囲に含まれる。
（１）上記実施例では、照明ユニット３０が、洗面化粧台Ｖ（８０）の全幅にわたる幅寸法を有しているが、これに限らず、照明ユニットは、洗面化粧台の全幅より小さい幅寸法のものであってもよく、また洗面化粧台の左右方向に複数が備えられてもよい。
（２）上記実施例では、洗面キャビネット２０の前面の全体に鏡２２が備えられているが、これに限らず、洗面キャビネットの形態はどのようなものであってもよく、例えば洗面キャビネットの前面の左右方向における中央のみに鏡が配され、左右両側は収納部とされたものでもよい。
（３）上記実施例では、キャビネット本体２３が収納部２１を開閉する扉部２８を備えているが、これに限らず、キャビネット本体は扉部を備えなくてもよい。
（４）上記実施例では、照明ユニット３０の構成を例示したが、照明ユニット３０の構成は適宜変更してもよく、例えばケースの内部に反射板以外の光学部材を配置してもよいし、ＬＥＤ基板の形態、位置また向き等を変更してもよい。
（５）上記実施例では、発光体３１がＬＥＤ基板とされているが、これに限らず、発光体は、例えば蛍光灯であってもよい。
（６）上記実施例では、照明ユニット３０が上下両側に透光部４３を有し、第１状態では上下両方を照らすものとされているが、これに限らず、照明ユニットは少なくとも第１状態において下方を照らすものであればよく、すなわち上方を照らさないものであってもよく、また下方のみならず前方を照らすものであってもよい。
（７）上記実施例では、照明ユニット３０に回動軸６３（８１）が突設され、ガイド部５０または固定部８２に軸孔６４（８４）が凹設されているが、これとは逆に、照明ユニットに軸孔を凹設し、ガイド部または固定部に回動軸を突設してもよい。
（８）上記実施例では、照明ユニット３０の上下両面に透光部４３が設けられているが、このようなものにおいて、上側の透光部のみ、下側の透光部のみ、または上下両側の透光部に同時に、光が透過するように切り替え自在な構成にしてもよい。
（９）上記実施例１では、照明ユニット３０が前後方向の移動及び回動の両方を行うものとしているが、これに限らず、照明ユニットが回動しないで前後方向の移動のみを行うものとしてもよい。
【符号の説明】
【００６３】
Ｖ，８０…洗面化粧台
１０…洗面台
１１…洗面ボウル
２０…洗面キャビネット
２３…キャビネット本体
３０…照明ユニット
３１…発光体
３２…ケース
４３…透光部
６３，８１…回動軸
【図１】
2019162212.tif 000003
【図２】
2019162212.tif 000004
【図３】
2019162212.tif 000005
【図４】
2019162212.tif 000006
【図５】
2019162212.tif 000007
【図６】
2019162212.tif 000008
【図７】
2019162212.tif 000009
【図８】
2019162212.tif 000010
【図９】
2019162212.tif 000011
【図１０】
2019162212.tif 000012
【図１１】
2019162212.tif 000013
【図１２】
2019162212.tif 000014
【図１３】
2019162212.tif 000015
【図１４】
2019162212.tif 000016
【図１５】
2019162212.tif 000017
【図１６】
2019162212.tif 000018
【図１７】
2019162212.tif 000019
【図１８】
2019162212.tif 000020